(57)【要約】【課題】装飾部材を遊技盤から取り外すことなく、遊技盤に取り付けられた装飾部材の背面側から第２大入賞装置を着脱できるように構成したことにより、第２大入賞装置の修理、交換作業を大幅に効率化することを可能とする。【解決手段】遊技盤２と、該遊技盤に対して装着される装飾部材６と、該装飾部材に設けた取付領域に対して背面側から着脱自在に取り付けられ、少なくとも入球検出手段１７ａ、該入球検出手段を開閉する入球可否決定片１７ｂ、及び該入球可否決定片を開閉駆動するアクチュエータ５２を備えた可変入賞装置１７と、を備え、遊技盤に取り付けた状態にある装飾部材の取付領域４０に対して可変入賞装置を背面側から着脱自在とした。【選択図】図９
2014158545.tif 000002
【特許請求の範囲】
【請求項１】
遊技盤と、該遊技盤に対して装着される装飾部材と、該装飾部材に設けた取付領域に対して背面側から着脱自在に取り付けられ、少なくとも遊技球の入球の有無を検出する入球検出手段、該入球検出手段へ入球させ難い態様から入球させ易い態様に変化可能な入球可否決定片、及び該入球可否決定片を駆動するアクチュエータを備えた可変入賞装置と、を備え、
前記遊技盤には、該遊技盤に装着された前記装飾部材の前記取付領域を背面側に露出させるための切欠き部を備え、
前記遊技盤に装着された前記装飾部材の取付領域の背面に対して、前記可変入賞装置を着脱自在としたことを特徴とする遊技機。
【請求項２】
前記取付領域には、前記入球検出手段、及び前記入球可否決定片を前記装飾部材の前面よりも前方に突出させる取付開口部が設けられていることを特徴とする請求項１に記載の遊技機。
【発明の詳細な説明】
【技術分野】
【０００１】
本発明は遊技機に関し、特に特定の条件を満たしたときに動作する可変入賞装置を備えた遊技機の改良に関するものである。
【背景技術】
【０００２】
可変入賞装置と称される可動盤面部品を装備したパチンコ遊技機が従来から知られている。
可変入賞装置としての大入賞装置（アタッカー）は、一枚扉をソレノイドによって前後方向へ回動させることによって入賞口を開閉する構造を備えており、特許文献１、２には、アタッカーの扉の開閉構造が開示されている。
【０００３】
ところで、特許文献３には、第１大入賞装置の他に、第２大入賞装置を備えたパチンコ遊技機が開示されている。
第１大入賞装置は、通常は第１大入賞口を第１開閉扉によって閉状態に維持しており、遊技球の入球を不可能としている。これに対して、所定の特別遊技が開始されると、第１開閉扉が開放されるとともに、この第１開閉扉が遊技球を第１大入賞口内に導く受け皿として機能し、遊技球が第１大入賞口に入球可能となる。第１大入賞口に遊技球が入球すると予め設定された賞球（例えば１５個の遊技球）が払い出される。
第２大入賞装置は、通常は第２大入賞口を羽根状の第２入球可否決定片によって閉状態に維持しており、遊技球の入球を不可能としている。これに対して、所定の特別遊技が開始されると、第２入球可否決定片が開放されるとともに、この第２入球可否決定片が遊技球を第２大入賞口内に導く誘導路として機能し、遊技球が第２大入賞口に入球可能となる。第２大入賞口に遊技球が入球した場合も予め設定された賞球（例えば１５個の遊技球）が払い出される。
【０００４】
図１６は第２大入賞装置を備えた従来の装飾部材（センター部材）の正面図と要部拡大図であり、図１７はこの装飾部材の正面側斜視図と要部拡大図であり、図１８は第２大入賞装置の取付け状態を示す正面側分解斜視図であり、図１９は同背面側分解斜視図である。
各図に示すように、第２大入賞装置５００は、図示しない遊技盤に対して正面から装着される装飾部材５５０に対して予め固定されている。遊技盤の背面側には図示しない枠体状の液晶ベースが組み付けられ、液晶ベースの後部開口を塞ぐように液晶表示装置が組み付けられている。
第２大入賞装置５００は、第２大入賞口５０１、第２大入賞口内に配置されたカウントスイッチ、第２大入賞口へ入球させ難い態様から入球させ易い態様に変化可能な羽根状の第２入球可否決定片５０３、及び第２入球可否決定片を開閉駆動するソレノイド等のアクチュエータ（駆動装置）５０４を備えている。第２入球可否決定片は、ソレノイド５０４によって回動駆動される回動軸部５０５に対して固定される。
【０００５】
第２大入賞口５０１と、カウントスイッチと、ソレノイド５０４とは、共通の構造部材５１０によって支持されることにより第２大入賞装置本体５１１を構成しており、第２大入賞装置本体５１１は装飾部材５５０の背面側に設けた取付領域２５１に対して背面側から取り付けられて螺子固定される。一方、第２入球可否決定片５０３は、装飾部材側の取付領域２５１の構造上、第２大入賞装置本体５１１に取り付けた状態では装飾部材５５０に取り付けることができない。即ち、取付領域２５１には、その背面に第２大入賞装置本体５１１を取り付けたときに回動軸部５０５を前方へ突出させる穴５５２が形成されており、第２入球可否決定片５０３はこの穴５５２から突出した回動軸部５０５に対して装飾部材５５０の前方からの作業によってのみ取り付けることができる。このように、第２入球可否決定片５０３は、第２大入賞装置本体５１１を取付領域５５０に背面側から取り付けた後で、取付領域に設けた穴５５２から露出した回動軸部５０５に対して後付けされる。
なお、第２大入賞口５０１は、穴５５２よりも後方に位置しており、開放状態にある第２入球可否決定片５０３により穴５５２内に導かれた遊技球が第２大入賞口６０１内に入球する。
【０００６】
第２大入賞装置５００は、装飾部材に対してこのような取付け構造であるため、第２大入賞装置に故障等の不具合がある場合には、液晶ベースを遊技盤から取り外した後で、装飾部材５５０全体を遊技盤の前面から取り外した上で装飾部材を分解する必要があった。つまり、装飾部材が遊技盤に取り付けられている限り、第２大入賞装置を単体として装飾部材から分離して取り出して交換したり、修理することができなかった。更に、交換、修理が終了した第２大入賞装置は装飾部材に改めて取付け、その後、装飾部材を遊技盤に取付け直す必要があった。このため、第２大入賞装置の交換、修理には多大な時間と手数がかかるのが普通であった。
【０００７】
つまり、従来は第２大入賞装置のみの交換、修理が必要となった場合であっても、第２大入賞装置を含めた装飾部材５５０全体を遊技盤から取り外して、装飾部材を分解する作業が必須となっていた。
なお、第２大入賞装置は出玉に関係する重要部品であり、しかもアクチュエータとして使用するソレノイドは元々壊れやすい部品であるばかりでなく、長期間、高頻度で作動するので、更に壊れ易くなっている。
このため、従来の第２大入賞装置は交換、修理の頻度が大きい部品であるにも拘わらず、手間の掛かる装飾部材の遊技盤からの取外し作業、及び分解作業を伴わずに、簡易に交換できる構造ではなかった。
【先行技術文献】
【特許文献】
【０００８】
【特許文献１】特開２００８−３０７１０３公報
【特許文献２】特開２００９−１１６６０公報
【特許文献３】特願２０１２−２３０８２６公報
【発明の概要】
【発明が解決しようとする課題】
【０００９】
従来の第２大入賞装置は、遊技盤の前面に取り付けられた装飾部材等の盤面部品の背面から取り付けられる第２大入賞装置本体と、装飾部材の前面側から第２大入賞装置本体の回動軸に対して取り付けられる第２入球可否決定片と、から構成されていた。このため、装飾部材を遊技盤に取り付けたままの状態で第２大入賞装置を装飾部材に対して着脱することが難しく、第２大入賞装置を備えた装飾部材全体を遊技盤から取り外し、装飾部材を分解した上で、故障が発生し易い第２大入賞装置だけを取り出す必要があり、修理、交換後には第２大入賞装置を装飾部材に取り付けてから、装飾部材を組み戻し、これを更に遊技盤に取り付ける煩雑な作業が必要であった。
本発明は上記に鑑みてなされたものであり、装飾部材を遊技盤から取り外すことなく、遊技盤に取り付けられた装飾部材の背面側から第２大入賞装置を着脱できるように構成したことにより、第２大入賞装置の修理、交換作業を大幅に効率化することを可能とした遊技機を提供するものである。
【課題を解決するための手段】
【００１０】
上記目的を達成するため、請求項１の発明は、遊技盤と、該遊技盤に対して装着される装飾部材と、該装飾部材に設けた取付領域に対して背面側から着脱自在に取り付けられ、少なくとも遊技球の入球の有無を検出する入球検出手段、該入球検出手段へ入球させ難い態様から入球させ易い態様に変化可能な入球可否決定片、及び該入球可否決定片を駆動するアクチュエータを備えた可変入賞装置と、を備え、前記遊技盤には、該遊技盤に装着された前記装飾部材の前記取付領域を背面側に露出させるための切欠き部を備え、前記遊技盤に装着された前記装飾部材の取付領域の背面に対して、前記可変入賞装置を着脱自在としたことを特徴とする。
請求項２の発明は、前記取付領域には、前記入球検出手段、及び前記入球可否決定片を前記装飾部材の前面よりも前方に突出させる取付開口部が設けられていることを特徴とする。
【発明の効果】
【００１１】
本発明によれば、遊技盤に取り付けられた装飾部材の背面側から第２大入賞装置を着脱できるように構成したことにより、第２大入賞装置の修理、交換作業を大幅に効率化することができる。
【図面の簡単な説明】
【００１２】
【図１】本発明の実施形態に係る遊技機の一例としてのパチンコ遊技機の構成例を示した全体正面図である。
【図２】外枠に対して遊技盤ユニット、及び内枠を開閉自在に組み付けた状態を示す斜視図である。
【図３】遊技盤にベース枠体を組み付けた状態の正面側斜視図である。
【図４】遊技盤からベース枠体を分離させた状態を示す正面側斜視図である。
【図５】装飾部材を取り付けた遊技盤の正面図である。
【図６】遊技盤から装飾部材を分離させた状態を示す正面側斜視図である。
【図７】装飾部材の正面側斜視図である。
【図８】装飾部材に取り付けられた可変入賞装置を示す正面側要部拡大斜視図である。
【図９】装飾部材から可変入賞装置を分離させた状態を示す正面側斜視図である。
【図１０】可変入賞装置を備えた装飾部材を遊技盤に取り付けた状態を示す背面図である。
【図１１】遊技盤と装飾部材と可変入賞装置の背面側分解斜視図である。
【図１２】装飾部材に対する可変入賞装置の取付状態を示す縦断面斜視図である。
【図１３】可変入賞装置におけるソレノイドによる羽根の駆動状態を示す背面側斜視図である。
【図１４】可変入賞装置におけるソレノイドによる羽根の駆動状態を示す下側斜視図である。
【図１５】可変入賞装置の背面側分解斜視図である。
【図１６】従来の第２大入賞装置を備えた装飾部材の正面図と要部拡大図である。
【図１７】従来の装飾部材の正面側斜視図と要部拡大図である。
【図１８】従来の第２大入賞装置の取付け状態を示す正面側分解斜視図である。
【図１９】従来の第２大入賞装置の取付け状態を示す背面側分解斜視図である。
【発明を実施するための形態】
【００１３】
以下、本発明を図面に示した実施の形態により詳細に説明する。
図１は本発明の実施形態に係る遊技機の一例としてのパチンコ遊技機の構成例を示した全体正面図であり、図２は外枠に対して遊技盤ユニット、及び内枠を開閉自在に組み付けた状態を示す斜視図であり、図３は遊技盤にベース枠体を組み付けた状態の正面側斜視図であり、図４は遊技盤からベース枠体を分離させた状態を示す正面側斜視図であり、図５は装飾部材（センター部材）を取り付けた遊技盤の正面図であり、図６は遊技盤から装飾部材を分離させた状態を示す正面側斜視図であり、図７は装飾部材の正面側斜視図である。
【００１４】
図１において、遊技機１は、遊技店の島設備に取り付けられる外枠３００と、外枠３００により一方の縦辺を回動可能に支持された内枠３１０と、を備えている。外枠３００には遊技球が流下する遊技領域３が形成された遊技盤２が設けられている。内枠３１０は、遊技盤２の前方（遊技者側）において遊技領域３を視認可能に覆うガラス板（図示しない）を支持している。
図２、図３に示すように外枠３００には、遊技盤ユニットＵ、及び内枠３１０が開閉自在に組み付けられている。
遊技盤ユニットＵは、遊技盤２の背面に、ベース枠体３０、及び画像表示ユニット８０等を組み付けた構成を有している。
図２、図３、図４等に示すように、遊技盤２の背面（後面）には、前後方向に貫通する開口部３０ａを有したベース枠体（液晶ベース枠）３０が組み付けられて、ベース枠体の背面側（後面側）には開口部３０ａを塞ぐように画像表示ユニット（画像表示装置、及び画像表示カバー）８０が組み付けられる。
【００１５】
また、図１に示すように、内枠３１０には、回動操作されることにより遊技領域３に向けて遊技球を発射させる操作ハンドル３１１と、音声出力装置（スピーカ）３１２と、複数のランプを有する上下の演出用照明装置３１３ａ、３１３ｂと、押圧操作により演出態様を変更させるための演出ボタン３１４と、左右の演出用可動照明装置３２０Ｌ、３２０Ｒが設けられている。
内枠３１０の下側には、受皿ユニット３１５が設けられている。受皿ユニット３１５には、複数の遊技球を貯留する球皿部が設けられており、この球皿部は、操作ハンドル３１１の方向側に遊技球が流下するように下りの傾斜を有している。そして、遊技者が操作ハンドル３１１を回動させると、遊技球が遊技領域３に発射されることとなる。
上記のようにして発射された遊技球がレール５ａ、５ｂ間を上昇して玉戻り防止片５ｃを超えると、遊技領域３に到達し、その後遊技領域３内を落下する。このとき、遊技領域３に設けられた複数の釘や風車によって、遊技球は予測不能に落下することとなる。
【００１６】
次に、遊技盤２の遊技領域３の構成について説明する。
遊技領域３には、複数の一般入賞口１８が設けられている。これら各一般入賞口１８に遊技球が入賞すると、所定の賞球（例えば１０個の遊技球）が払い出される。
また、遊技領域３の中央下側の領域には、遊技球が入球可能な始動領域を構成する第１始動口１３および第２始動口１４が設けられている。
この第２始動口１４は、開閉扉１４ｂを有しており、開閉扉１４ｂが閉状態に維持される第１の態様と、開閉扉１４ｂが開状態となる第２の態様とに可動制御される。従って、第２始動口１４は、第１の態様にあるときには遊技球の入賞機会がなく、第２の態様にあるときには遊技球の入賞機会が増すこととなる。
【００１７】
ここで、第１始動口１３または第２始動口１４に遊技球が入球すると、特別図柄判定用乱数値等を取得し、大当たり遊技を実行する権利獲得の抽選（以下、「大当たり抽選」という）が行われる。また、第１始動口１３または第２始動口１４に遊技球が入球した場合には、所定の賞球（例えば３個の遊技球）が払い出される。
さらに、遊技領域３の右側の領域には、遊技球が通過可能な普通図柄用のゲート１５と、遊技球が入球可能な第１大入賞装置１６及び第２大入賞装置１７とが設けられている。図１、図２乃至図５に示すように、第２大入賞装置１７の前方には、透明な化粧板２０が配置されている。
このため、操作ハンドル３１１を大きく回動させ、強い力で打ち出された遊技球でないと、ゲート１５と第１大入賞装置１６及び第２大入賞装置１７とには遊技球が、通過または入賞しないように構成されている。
【００１８】
ゲート１５において遊技球の通過を検出すると、普通図柄判定用乱数値を取得し、「普通図柄の当たり抽選」が行われる。
第１大入賞装置１６は、通常は第１入球可否決定片１６ｂによって遊技球の入球の有無を検出する第１大入賞口１６ａを閉状態（入球不可状態）に維持されており、遊技球の入球を不可能としている。これに対して、所定の特別遊技が開始されると、第１入球可否決定片１６ｂが開放されるとともに、この第１入球可否決定片１６ｂが遊技球を第１大入賞口１６ａ内に導く受け皿として機能し、遊技球が第１大入賞口に入球可能となる。第１大入賞口に遊技球が入球すると予め設定された賞球（例えば１５個の遊技球）が払い出される。
【００１９】
図６、図７に示すように、第２大入賞装置１７は、遊技球の入球の有無を検出するカウントスイッチを備えた入球検出手段としての第２大入賞口１７ａと、第２大入賞口１７ａへ遊技球を入球させ難い態様から入球させ易い態様に変化可能な第２入球可否決定片（入球可否決定片）１７ｂと、を備えている。
第２大入賞装置１７は、通常は羽根状の第２入球可否決定片（入球可否決定片）１７ｂによって第２大入賞口（入球検出手段）１７ａを閉状態（入球不能状態）に維持されており、遊技球の入球を不可能としている。これに対して、所定の特別遊技が開始されると、図８に示すように第２入球可否決定片１７ｂが開放位置に回動して第２大入賞口１７ａを開放するとともに（入球可能状態）、この第２入球可否決定片１７ｂが遊技球を第２大入賞口内に導く誘導路として機能し、遊技球が第２大入賞口に入球可能となる。第２大入賞口に遊技球が入球した場合も予め設定された賞球（例えば１５個の遊技球）が払い出される。
更には、図１に示すように遊技領域３の最下部の領域には、一般入賞口１８、第１始動口１３、第２始動口１４、第１大入賞装置１６および第２大入賞装置１７のいずれにも入球しなかった遊技球を排出するためのアウト口１９が設けられている。
【００２０】
また、遊技領域３の中央には開口部３Ａが形成されており、開口部３Ａの周縁に沿って遊技球の流下に影響を与える装飾部材６が設けられている。図６と図７に示すように、第２大入賞装置１７は、装飾部材６の右下に設けた取付領域４０に対して背面側から取付け、取外しができるように構成されている。取付領域４０の直上位置にはゲート３５が前方に突設されている。
装飾部材６の略中央部分（開放部）であって遊技盤の背面（後面）側には、液晶表示装置等からなる画像表示装置７が設けられている。
画像表示装置７は、遊技が行われていない待機中に画像を表示したり、遊技の進行に応じた画像を表示したりする。なかでも、後述する大当たり抽選の結果を報知するための３個の演出図柄８が表示され、特定の演出図柄８の組合せ（例えば、７７７等）が停止表示されることにより、大当たり抽選結果として大当たりが報知される。
【００２１】
具体的には、第１始動口１３または第２始動口１４に遊技球が入球したときには、３個の演出図柄８をそれぞれスクロール表示するとともに、所定時間経過後に当該スクロールを停止させて、演出図柄８を停止表示するものである。また、この演出図柄８の変動表示中に、さまざまな画像やキャラクター等を表示することによって、大当たりに当選するかもしれないという高い期待感を遊技者に与えるようにもしている。
さらに、音声出力装置３１２は、ＢＧＭ（バックグランドミュージック）、ＳＥ（サウンドエフェクト）等を出力し、サウンドによる演出を行い、演出用照明装置３１３ａ、３１３ｂは、各ランプの光の照射方向や発光色を変更して、照明による演出を行うようにしている。
遊技盤２の左下方には、各種図柄を表示するための図柄表示装置９が設けられている。
受皿ユニット３１５の上面には、一般的にチャンスボタンと呼ばれる演出ボタン３１４が配置されている。演出ボタン３１４の操作は、例えば遊技中における特定のリーチ演出に際し、演出ボタン３１４の操作を促すガイダンスが画像表示装置７に表示されている間有効となる。
【００２２】
次に、図８は装飾部材に取り付けられた可変入賞装置を示す正面側要部拡大斜視図であり、図９は装飾部材から可変入賞装置を分離させた状態を示す正面側斜視図であり、図１０は可変入賞装置を備えた装飾部材を遊技盤に取り付けた状態を示す背面図であり、図１１は遊技盤と装飾部材と可変入賞装置の背面側分解斜視図であり、図１２は装飾部材に対する可変入賞装置の取付状態を示す縦断面斜視図であり、図１３は可変入賞装置におけるソレノイドによる羽根の駆動状態を示す背面側斜視図であり、図１４は可変入賞装置におけるソレノイドによる羽根の駆動状態を示す下側斜視図であり、図１５は可変入賞装置の背面側分解斜視図である。
【００２３】
本発明に係る遊技機の特徴的な構成は、少なくとも遊技盤２と、遊技盤２に対して装着される装飾部材（実施形態では、センター部材）６と、装飾部材６の背面適所、本例では正面中央位置よりも右側に設けた取付領域４０に配置され、磁気センサ等の遊技球カウントスイッチを備えた第２大入賞口（入球検出手段）１７ａ、第２大入賞口１７ａへの入口を開閉して第２大入賞口への遊技球の入球を許可したり拒否する羽根状の第２入球可否決定片１７ｂ、及び第２入球可否決定片１７ｂを開閉駆動するソレノイド等のアクチュエータ（起動装置）５２を備えた第２大入賞装置（可変入賞装置）１７と、を備え、遊技盤に取り付けた状態にある装飾部材の取付領域４０に対して、第２大入賞装置１７を着脱自在とした点にある。
【００２４】
遊技盤２には、開口部３Ａの周縁に沿ってセンター部材と称される略環状の装飾部材６が配置されており、装飾部材背面の適所、本例では右下隅部に第２大入賞装置（可変入賞装置）１７の取付領域４０が設けられており、この取付領域４０には背面側から第２大入賞装置１７が着脱自在となっている。
装飾部材６は、図６に示すように遊技盤２に対して前面側から取付けることができ、装飾部材の取付領域４０と対応する遊技盤の開口部３Ａの右下部位には取付領域に見合った形状の切欠き部３Ａ−１が形成されている。従って、装飾部材を開口部３Ａに沿って遊技盤前面から取り付けると、取付領域４０の後方は開放された状態となっている。
なお、本例では装飾部材６は遊技盤の前面に取り付ける構造としているが、遊技盤の背面に取り付ける構造であってもよい。
【００２５】
図７は化粧板２０を除去した際の第２大入賞装置の状態を示す図であり、図８は図７の要部拡大図である。
装飾部材の取付領域４０には、背面側から第２大入賞装置１７が着脱自在に構成されている。第２大入賞装置１７を取付領域に取り付けた時に、切欠き部３Ａ−１を経由して可変入賞装置を構成する第２大入賞口１７ａと第２入球可否決定片１７ｂが前方に突出する。つまり、第２入球可否決定片１７ｂのみならず、第２大入賞口（入球検出手段）１７ａも装飾部材６の前面から突出している。
即ち、取付領域４０には、第２大入賞装置１７を背面側から装着（ビス止め）した時に、第２大入賞口１７ａと第２入球可否決定片１７ｂを前方へ突出させるための取付開口部４２が形成されている。このため、第２大入賞口１７ａと第２入球可否決定片１７ｂを除いた第２大入賞装置の各部位は取付領域の背面側に位置していることとなる。
【００２６】
取付開口部４２の周縁部は、第２大入賞装置の前面、外周面を整合性よく保持することができる形状となるように予め設計する。
特に、取付開口部４２の上縁部には上方へ略三角形状に延びる位置決め凹所４２ａが設けられると共に、位置決め凹所４２ａと対応したケーシング５０の部位には被位置決め部５０Ｃが突設されている。位置決め凹所４２ａと被位置決め部５０Ｃとは、位置関係、形状が整合するように予め寸法設定されている。
取付開口部４２内に第２大入賞装置１７を装着する際に、ケーシングの被位置決め部５０Ｃが位置決め凹所４２ａ内に嵌合することにより、取付開口部内での第２大入賞装置１７の位置決めが確実となり、ガタ付きの発生を防止できる。被位置決め部５０Ｃを設けることにより、取付開口部４２の内周縁とケーシング５０外面との接触面積が増大するため、位置決め性、がたつき防止性が高まることが明かである。
特に、多回数繰り返される第２入球可否決定片１７ｂの開閉動作による振動によって、仮に取付領域４０と第２大入賞装置１７とのビス止め部にガタが発生したとしても、位置決め凹所４２ａ内に被位置決め部５０Ｃが密着して嵌合している限り、第２大入賞装置が取付領域４０内において左右方向へ著しくがたつきを起こすことを防止できる。
【００２７】
なお、被位置決め部５０Ｃの正面形状（外周輪郭線）を、第２入球可否決定片１７ｂの正面形状（外周輪郭線）とほぼ同様とすることにより、第２入球可否決定片１７ｂが図７に示した閉止位置にある時に被位置決め部５０Ｃが第２入球可否決定片により隠蔽された状態となる。このため、遊技中に被位置決め部５０Ｃが正面から視認されることによるデザイン上の違和感をなくすることができる。被位置決め部５０Ｃの正面を透明部材により構成するとともに、内部に配置したＬＥＤを発光させるように構成しても良い。このように構成し、第２入球可否決定片１７ｂが開放状態にある入賞時に被位置決め部を発光させることにより、演出効果を高めることも可能となる。
なお、位置決め手段、がたつき防止手段としての位置決め凹所４２ａの形成位置、形状は、図示したものに限定されず、種々選択可能である。
【００２８】
図１２乃至図１５に示すように、第２大入賞装置１７は、ケーシング５０と、ケーシングの前面左側に突出して配置された第２大入賞口（入球検出手段）１７ａと、第２大入賞口への入球数をカウントする図示しないカウントスイッチと、第２大入賞口１７ａの右側のケーシング前面に突出して配置されて回動軸６３を中心として回動することにより第２大入賞口を開閉する羽根状の第２入球可否決定片１７ｂと、ケーシング内部に配置されて第２大入賞可動片を駆動するソレノイド（アクチュエータ）５２と、ソレノイドの駆動力を第２入球可否決定片１７ｂに伝達して回動させる伝達機構６０と、を備えている。
第２大入賞口１７ａと第２入球可否決定片１７ｂとは横方向に並置されており、第２入球可否決定片が図８のように開放状態にある時に、第２入球可否決定片をガイドとして遊技球は第２大入賞口内に入球する。
【００２９】
図１５に示すようにケーシング５０は、前側ケーシング５０Ａと、後側ケーシング５０Ｂとを備え、ソレノイド５２を包囲するように前側ケーシング５０Ａと後側ケーシング５０Ｂを組み付ける。第２大入賞口１７ａは前側ケーシング５０Ａの前面に設けられている。ケーシング、特に前側ケーシング５０Ａは取付領域４０と整合性よく密着して位置決め固定できるように形状を設計する。
ソレノイド５２は、ソレノイド本体５３と、ソレノイド本体５３の底面に設けた穴５３ａから下方へ向けて出没するプランジャ５４と、プランジャ先端に固定された円板状の係止部５４ａと、ソレノイド本体５３の一側面により上下動自在に支持され且つプランジャ５４と一体的に上下動する可動板５５と、可動板５５の下部から側方に突出した作動片５５ａと、プランジャを突出方向へ付勢する弾性部材と、を有する。作動片５５ａの先端は二股に分岐している。ソレノイド本体５３を励磁することによりプランジャは弾性部材に抗してソレノイド本体側に吸引される。
【００３０】
伝達機構６０は、下部に設けた軸部６１ａを中心として側方に回動すると共に、軸部６１ａからソレノイド本体５３側に突設された部材から後方に突設された被作動片６１ｂを有する。伝達機構は更に上部に長穴６１ｃを有した第１の回動部材６１と、第２入球可否決定片１７ｂの取付穴１７ｂ―１内に先端を固定される回動軸６３と、回動軸６３の後端を挿通して固定する取付穴６５ａを上部に有すると共に、下部に第１の回動部材６１の長穴６１ｃ内に遊嵌するピン６５ｂを有した第２の回動部材６５と、を備えている。
ソレノイド本体５３が非励磁状態にある時には、弾性部材の付勢により可動板５５、及び作動片５５ａは図１２、図１３中に鎖線で示した突出状態にあり、この時第１及び第２の回動部材６１、６５が鎖線で示した位置にあるため、回動軸６３及び第２入球可否決定片１７ｂは、閉止方向へ回動して鎖線で示した閉止位置を維持する。
ソレノイド本体５３が励磁状態となった時には、弾性部材に抗して可動板５５、及び作動片５５ａは図１２、図１３中に実線で示した退避状態にあり、この時第１及び第２の回動部材６１、６５が実線で示した位置に移行するため、回動軸６３及び第２入球可否決定片１７ｂは、開放方向へ回動して実線で示した開放位置に移動する。
【００３１】
以上の構成を備えた遊技機によれば、遊技盤２の前面（背面でも可）に取り付けられる装飾部材６の取付領域４０の背面に対して、第２大入賞装置（可変入賞装置）１７を着脱可能に構成したので、装飾部材６を遊技盤に対して取り付けたままの状態で第２大入賞装置１７を装飾部材に対して着脱することができる。このため、遊技盤の背面に組み付けられている液晶ベース枠３０を取り外すことにより、遊技盤に取り付けられたままの装飾部材６から第２大入賞装置１７を取外し、交換することができる。
即ち、装飾部材６の取付領域４０と対応する遊技盤の部位には切欠き部３Ａ−１が形成されており、この切欠き部３Ａ−１が取付領域４０の背面を背面側から露出させている。取付領域内には取付開口部４２が形成されており、取付開口部４２は、第２大入賞装置１７の前面に突設された第２大入賞口（入球検出手段）１７ａと、第２入球可否決定片１７ｂを受入れ得るように形状が設定されている。このため、取付領域４０の背面に第２大入賞装置１７を装着すると、第２大入賞口（入球検出手段）１７ａと、第２入球可否決定片１７ｂとが装飾部材の前面よりも前方に突出した状態となる。
【００３２】
装飾部材の取付領域４０に取り付けられる第２大入賞装置１７は、異なった機種の遊技機に使用される異なったデザインの装飾部材であっても、第２大入賞装置１７を取付け可能な取付領域さえ備えていれば、どのような装飾部材にも適用することができる。つまり、装飾部材に取付領域を形成しておくことにより、第２大入賞装置１７を他の機種の装飾部材に適用したり、リユースすることが可能となる。特に、第２大入賞装置の外面に、遊技機の機種名や、機種に対応した図柄等々を表示せずにおけば、多様な機種に共通使用することが可能となる。
特に、遊技盤２側に取付領域４０を背面側から露出させるための切欠き部３Ａ−１を形成しておくことにより、装飾部材６を遊技盤に取り付けたままの状態で、ユニット化された第２大入賞装置１７を着脱して、交換、修理することが可能となる。
【符号の説明】
【００３３】
１…遊技機、２…遊技盤、３…遊技領域、３Ａ…開口部、５ａ…レール、６…装飾部材、７…画像表示装置、８…演出図柄、１３…始動口、１４…始動口、１４ｂ…開閉扉、１５…ゲート、１６…大入賞装置、１６ａ…大入賞口、１６ｂ…第１入球可否決片、１７…可変入賞装置（第２大入賞装置）、１７ａ…入球検出手段（第２大入賞口）、１７ｂ…第２入球可否決定片（入球可否決定片）、１７ｂ−１…取付穴、１８…一般入賞口、１９…アウト口、２０…化粧板、３０…ベース枠体、３０ａ…開口部、３５…ゲート、４０…取付領域、４２…取付開口部、５０…ケーシング、５０Ａ…前側ケーシング、５０Ｂ…後側ケーシング、５２…アクチュエータ、５３…ソレノイド本体、５３ａ…穴、５４…プランジャ、５４ａ…係止部、５５…可動板、５５ａ…作動片、６０…伝達機構、６１…回動部材、６１ａ…軸部、６１ｂ…被作動片、６１ｃ…長穴、６３…回動軸、６５…回動部材、６５ａ…取付穴、６５ｂ…ピン、８０…画像表示ユニット
【図１】
2014158545.tif 000003
【図２】
2014158545.tif 000004
【図３】
2014158545.tif 000005
【図４】
2014158545.tif 000006
【図５】
2014158545.tif 000007
【図６】
2014158545.tif 000008
【図７】
2014158545.tif 000009
【図８】
2014158545.tif 000010
【図９】
2014158545.tif 000011
【図１０】
2014158545.tif 000012
【図１１】
2014158545.tif 000013
【図１２】
2014158545.tif 000014
【図１３】
2014158545.tif 000015
【図１４】
2014158545.tif 000016
【図１５】
2014158545.tif 000017
【図１６】
2014158545.tif 000018
【図１７】
2014158545.tif 000019
【図１８】
2014158545.tif 000020
【図１９】
2014158545.tif 000021
【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
遊技盤と、該遊技盤に形成された開口部と、該開口部の周縁に沿って配置された装飾部材と、該装飾部材に設けた取付領域に対して背面側から着脱自在に取り付けられ、少なくとも遊技球の入球の有無を検出する入球検出手段、該入球検出手段へ入球させ難い態様から入球させ易い態様に変化可能な入球可否決定片、及び該入球可否決定片を駆動するアクチュエータを備えた可変入賞装置と、を備え、
前記遊技盤には、前記開口部の周縁に相当する前記遊技盤の一部を切り欠くことにより該開口部と連通して形成され、且つ該遊技盤に装着された前記装飾部材の前記取付領域を背面側に露出させるための切欠き部を備え、
前記遊技盤に装着された前記装飾部材の取付領域の背面に対して、前記切欠き部を介して前記可変入賞装置を着脱自在としたことを特徴とする遊技機。
【請求項２】
前記取付領域には、前記入球検出手段、及び前記入球可否決定片を前記装飾部材の前面よりも前方に突出させる取付開口部が設けられていることを特徴とする請求項１に記載の遊技機。
【手続補正２】
【補正対象書類名】明細書
【補正対象項目名】０００５
【補正方法】変更
【補正の内容】
【０００５】
第２大入賞口５０１と、カウントスイッチと、ソレノイド５０４とは、共通の構造部材５１０によって支持されることにより第２大入賞装置本体５１１を構成しており、第２大入賞装置本体５１１は装飾部材５５０の背面側に設けた取付領域２５１に対して背面側から取り付けられて螺子固定される。一方、第２入球可否決定片５０３は、装飾部材側の取付領域２５１の構造上、第２大入賞装置本体５１１に取り付けた状態では装飾部材５５０に取り付けることができない。即ち、取付領域２５１には、その背面に第２大入賞装置本体５１１を取り付けたときに回動軸部５０５を前方へ突出させる穴５５２が形成されており、第２入球可否決定片５０３はこの穴５５２から突出した回動軸部５０５に対して装飾部材５５０の前方からの作業によってのみ取り付けることができる。このように、第２入球可否決定片５０３は、第２大入賞装置本体５１１を取付領域５５０に背面側から取り付けた後で、取付領域に設けた穴５５２から露出した回動軸部５０５に対して後付けされる。
なお、第２大入賞口５０１は、穴５５２よりも後方に位置しており、開放状態にある第２入球可否決定片５０３により穴５５２内に導かれた遊技球が第２大入賞口５０１内に入球する。
【手続補正３】
【補正対象書類名】明細書
【補正対象項目名】０００７
【補正方法】変更
【補正の内容】
【０００７】
つまり、従来は第２大入賞装置のみの交換、修理が必要となった場合であっても、第２大入賞装置を含めた装飾部材５５０全体を遊技盤から取り外して、装飾部材を分解する作業が必須となっていた。
なお、第２大入賞装置は出玉に関係する重要部品であり、しかもアクチュエータとして使用するソレノイドは元々壊れやすい部品であるばかりでなく、長期間、高頻度で作動するので、更に壊れ易くなっている。
このため、従来の第２大入賞装置は交換、修理の頻度が大きい部品であるにも拘わらず、手間の掛かる装飾部材の遊技盤からの取外し作業、及び分解作業を伴わずに、簡易に交換できる構造ではなかった。
このように従来の第２大入賞装置は、遊技盤の前面に取り付けられた装飾部材等の盤面部品の背面から取り付けられる第２大入賞装置本体と、装飾部材の前面側から第２大入賞装置本体の回動軸に対して取り付けられる第２入球可否決定片と、から構成されていた。このため、装飾部材を遊技盤に取り付けたままの状態で第２大入賞装置を装飾部材に対して着脱することが難しく、第２大入賞装置を備えた装飾部材全体を遊技盤から取り外し、装飾部材を分解した上で、故障が発生し易い第２大入賞装置だけを取り出す必要があり、修理、交換後には第２大入賞装置を装飾部材に取り付けてから、装飾部材を組み戻し、これを更に遊技盤に取り付ける煩雑な作業が必要であった。
【手続補正４】
【補正対象書類名】明細書
【補正対象項目名】０００９
【補正方法】変更
【補正の内容】
【０００９】
本発明は上記に鑑みてなされたものであり、入賞装置の修理、交換作業を大幅に効率化することを可能とした遊技機を提供するものである。
【手続補正５】
【補正対象書類名】明細書
【補正対象項目名】００１０
【補正方法】変更
【補正の内容】
【００１０】
上記目的を達成するため、請求項１の発明は、遊技盤と、該遊技盤に形成された開口部と、該開口部の周縁に沿って配置された装飾部材と、該装飾部材に設けた取付領域に対して背面側から着脱自在に取り付けられ、少なくとも遊技球の入球の有無を検出する入球検出手段、該入球検出手段へ入球させ難い態様から入球させ易い態様に変化可能な入球可否決定片、及び該入球可否決定片を駆動するアクチュエータを備えた可変入賞装置と、を備え、前記遊技盤には、前記開口部の周縁に相当する前記遊技盤の一部を切り欠くことにより該開口部と連通して形成され、且つ該遊技盤に装着された前記装飾部材の前記取付領域を背面側に露出させるための切欠き部を備え、前記遊技盤に装着された前記装飾部材の取付領域の背面に対して、前記切欠き部を介して前記可変入賞装置を着脱自在としたことを特徴とする。
請求項２の発明は、前記取付領域には、前記入球検出手段、及び前記入球可否決定片を前記装飾部材の前面よりも前方に突出させる取付開口部が設けられていることを特徴とする。
【手続補正６】
【補正対象書類名】明細書
【補正対象項目名】００１１
【補正方法】変更
【補正の内容】
【００１１】
本発明によれば、入賞装置の修理、交換作業を大幅に効率化することができる。